(57)【要約】      （修正有）【課題】ストリップを有し且つ快速着脱可能で、防水、発光警報及び発光点滅制御の効果を備え、使用上の利便性が向上されるストリップ付き着脱可能なファスナーを提供する。【解決手段】ストリップ付き着脱可能なファスナーは、第一のテープ１０と、第二のテープ２０と、ストリップ３０と、コントローラ４０とより成る。また、着脱可能なファスナー構造になるように第二のテープの一方の側端部が第一のテープの一方の側端部と互いに接続され、ストリップが第二のテープに結合され、コントローラがストリップに接続され電源を供給し、前記ストリップの点灯・消灯を開閉する。【選択図】図１
0003175396.tif 000002
【実用新案登録請求の範囲】
【請求項１】
第一のテープと、
着脱可能なファスナー構造になるように、一方の側端部が前記第一のテープの一方の側端部と互いに接続された第二のテープと、
前記第二のテープに結合されたストリップと、
前記ストリップに接続され電源を供給し、前記ストリップの点灯・消灯を開閉するコントローラとを含むストリップ付き着脱可能なファスナー。
【請求項２】
前記第一のテープは、そのテープ本体の一方の側端部に第一の務歯列及び第一のスライダが設けられ、前記第一のスライダが前記第一の務歯列に往復動自在に結合され、前記第一の務歯列の両端に前記第一のスライダの飛び出しを防止するための上止及び箱がそれぞれ設けられ、前記第二のテープは、そのテープ本体の一方の側端部に第二の務歯列が設けられ、前記第二の務歯列の一端に飛び出し防止効果のある上止が設けられ、前記第二の務歯列の他端に前記第一の務歯列の箱に対応して合わせられるよう蝶棒が設けられ、前記第一のスライダを往復に動かせることで前記第二の務歯列と前記第一の務歯列とを分離させたり噛み合わせたりすることを特徴とする請求項１に記載のストリップ付き着脱可能なファスナー。
【請求項３】
前記第二のテープに前記ストリップを搭載固定するための受容通路が少なくとも一つ設けられ、前記ストリップは、透明パッケージと、複数の発光ダイオードと、２本の導線とを含み、導線ごとは、複数の金属線を有し、且つ導電ブロックと接続ブロックに分けられ、前記発光ダイオードが間隔を開いて前記両導電ブロックの間に電気的に接続され、しかも前記透明パッケージ内に結合して封止され、前記ストリップの防水発光部を形成し、前記防水発光部が前記受容通路内に搭載して固定され、前記両接続ブロックが結合して前記ストリップの接続部を形成し、前記コントローラに接続されていることを特徴とする請求項１に記載のストリップ付き着脱可能なファスナー。
【請求項４】
前記ストリップの防水発光部を接続して固着するため、前記受容通路の一端には位置決め部材がさらに設けられていることを特徴とする請求項３に記載のストリップ付き着脱可能なファスナー。
【請求項５】
前記コントローラは、ベースと、回路基板モジュールと、バテッリパックと、カバーとを含み、前記ベースの一面にボタンが設けられ、且つ、前記ベースの他面に受容溝が凹設され、前記受容溝の開口周縁に対向する２つのロック構造がそれぞれ設けられ、前記カバーの両対向する周縁に対応用のロック構造がそれぞれ設けられ、前記対応用ロック構造は、前記ロック構造を受けて係止するために設けられ、前記回路基板モジュールが前記受容溝内に設けられ、前記回路基板モジュールの一面が前記ボタン及び前記ストリップに接続され、前記回路基板モジュールの対向面に前記バテッリパックが電気的に接続されていることを特徴とする請求項１に記載のストリップ付き着脱可能なファスナー。
【請求項６】
前記ストリップには継手がさらに設けられ、前記コントローラには少なくとも一つの対応用継手が設けられ、前記対応用継手が前記継手と互いに対応して接続され着脱を行うことを特徴とする請求項１に記載のストリップ付き着脱可能なファスナー。
【請求項７】
前記第一のテープの他方の側端部に第一の接続エリアが設けられ、前記第一の接続エリアに第一のシートがさらに接続され、前記第一のシートの一方側に第一の対応接続エリアが設けられ、前記第一の対応接続エリアが前記第一の接続エリアと互いに接続して固定されていることを特徴とする請求項１に記載のストリップ付き着脱可能なファスナー。
【請求項８】
前記第一のシートに第二のシートがさらに接続され、前記第一のシートの片面に少なくとも一つの第一の片面接続エリアが設けられ、前記第二のシートの対応面に少なくとも一つの第二の片面接続エリアが設けられ、前記第二の片面接続エリアが前記第一の片面接続エリアと互いに接続されていることを特徴とする請求項７に記載のストリップ付き着脱可能なファスナー。
【請求項９】
前記第一のシート及び前記第二のシートは、ともに衣服、ズボン、スカート、頭巾、帽子、靴下、靴、手袋、マフラー、鞄、タオル及び袋のうち何れか一方の対となる両組立部材であることを特徴とする請求項８に記載のストリップ付き着脱可能なファスナー。
【請求項１０】
前記第二のテープの他方の側端部に第三のテープがさらに接続され、前記第二のテープは、そのテープ本体の他方の側端部に第二の対応用務歯列及び第二のスライダが設けられ、前記第二のスライダが前記第二の対応用務歯列に往復動自在に結合され、前記第二の対応用務歯列の両端に前記第二のスライダの飛び出しを防止するための上止及び箱がそれぞれ設けられ、前記第三のテープは、そのテープ本体の一方の側端部に第三の務歯列が設けられ、前記第三の務歯列の一端に飛び出し防止効果のある上止が設けられ、前記第三の務歯列の他端に前記第二の対応用務歯列の箱に対応して合わせられるよう蝶棒が設けられ、前記第二のスライダを往復に動かせることで前記第二の対応用務歯列と前記第三の務歯列とを分離させたり噛み合わせたりすることを特徴とする請求項１に記載のストリップ付き着脱可能なファスナー。
【請求項１１】
前記第二のテープと前記第三のテープとの間に少なくとも一つの同じ構造である第二のテープがされに結合されていることを特徴とする請求項１０に記載のストリップ付き着脱可能なファスナー。
【請求項１２】
前記第一のテープの他方の側端部に第一の接続エリアが設けられ、前記第一の接続エリアに第一のシートがさらに接続され、前記第一のシートの一方側に第一の対応接続エリアが設けられ、前記第一の対応接続エリアが前記第一の接続エリアと互いに接続して固定され、前記第三のテープの他方の側端部に第三の接続エリアが設けられ、前記第三の接続エリアに第二のシートがさらに接続され、前記第二のシートの一方側に第二の対応用接続エリアが設けられ、前記第二の対応用接続エリアが前記第三の接続エリアと互いに接続して固着されていることを特徴とする請求項１０に記載のストリップ付き着脱可能なファスナー。
【請求項１３】
前記第一のシート及び前記第二のシートは、ともに衣服、ズボン、スカート、頭巾、帽子、靴下、靴、手袋、マフラー、鞄、タオル及び袋のうち何れか一方の対となる両組立部材であることを特徴とする請求項１２に記載のストリップ付き着脱可能なファスナー。
【請求項１４】
前記第一のテープと前記第二のテープと前記第三のテープとがいずれも弾性テープであることを特徴とする請求項１０に記載のストリップ付き着脱可能なファスナー。
【考案の詳細な説明】
【技術分野】
【０００１】
本考案は、ストリップ付き着脱可能なファスナーに係り、特に、服装及びその付属品などの用品に適用されたストリップ付き着脱可能なファスナーに関る。
【背景技術】
【０００２】
従来のファスナーの構造は、一対のテープと、複数の務歯と、スライダとを含み、複数の務歯がテープ対の対向する両側端部に配列して務歯列がそれぞれ形成され、各務歯列の両端に上止、下止がそれぞれ設けられ、一方のテープの務歯列にスライダが往復動自在に結合され、両務歯列をそれぞれ分離させたり噛み合わせたりすることができる。よって、従来のファスナーは、衣服やズボンなど着るものに用いられ、使用者による着るものへの着脱を容易にする役目を果たしている。ファスナー製品の市場潜在値及び販売量に対しメーカから注目されるため、夜間にも使用可能な光反射型ファスナーが積極的に開発され、該光反射ファスナーは、そのテープの経緯糸中に光反射繊維を捻り組んだり、務歯を光反射材料で作製したりすることにより、従来のファスナーと違って、光反射による警報の効果を達成した。
【考案の概要】
【考案が解決しようとする課題】
【０００３】
しかしながら、上記の光反射ファスナーのテープや務歯は、光で照射されなければ光反射警報の効果が生じられないため、光反射ファスナーに光が照射されず或いは光の劣る環境中（例えば、夜間）にいれば、光反射が発生し難く、目立つような警報の役割を備えず、さらに、昼間のときに、周囲が明るくて光反射効果が示され難く、同じく警報の役割を果たせない。
【０００４】
これを鑑みて、本考案の創作者は、専念に研究や設計、組み立てをし、ストリップ（照明）を有し且つ快速着脱、防水、発光警報及び発光点滅制御の効果を備え、使用上の利便性が向上するストリップ付き着脱可能なファスナーの提供を期することが、本考案創作の動機である。
【０００５】
本考案は、ストリップを有し且つ快速着脱可能で、防水、発光警報及び発光点滅制御の効果を備え、使用上の利便性が向上されるストリップ付き着脱可能なファスナーを提供することを主な目的とする。
【課題を解決するための手段】
【０００６】
前記目的を達成するため、本考案によるストリップ付き着脱可能なファスナーは、第一のテープと、着脱可能なファスナー構造になるように一方の側端部が前記第一のテープの一方の側端部と互いに接続された第二のテープと、前記第二のテープに結合されたストリップと、前記ストリップに接続されて電源を供給し、前記ストリップの点灯・消灯を開閉するコントローラとを含むことによって、快速着脱、防水、発光警報及び発光点滅制御の効果を備え、使用上の利便性が向上され、さらに光の照射を介さず光反射警報を可能とする。
【図面の簡単な説明】
【０００７】
【図１】本考案の実施例１に係る着脱可能なファスナーを示す図である。
【図２】図１において第一のテープが第一のシートに接続され第二のテープが取り外された状態を示す図である。
【図３】図２において第二のテープから分解されたストリップ及び位置決め部材を示す分解図である。
【図４】実施例１のコントローラとストリップの接続部との着脱可能な構造を示す斜視図である。
【図５】図４のコントローラを示す分解図である。
【図６】実施例１の着脱可能なファスナーが第一及び第二のシートとの組み合わせ構造を示す断面図である。
【図７】本考案の実施例２に係る着脱可能なファスナーを示す図である。
【図８】実施例２の着脱可能なファスナーが第一及び第二のシートとの組み合わせ構造を示す図である。
【考案を実施するための形態】
【０００８】
本考案の特徴、特点及び技術内容のさらに深い理解は、以下の本考案に係る詳細説明及び添付図面を参照すれば得られるが、前記添付図面は参考や説明としてのみ提供されるものであって、本考案を局限するものではない。
【実施例１】
【０００９】
図１〜図６に示すように、ストリップ付き着脱可能なファスナーは、第一のテープ１０と、第二のテープ２０と、ストリップ３０と、コントローラ４０とを含み、着脱可能なファスナー構造になるように第二のテープ２０の一方の側端部が第一のテープ１０の一方の側端部に接続され、ストリップ３０が第二のテープ２０に結合され、コントローラ４０がストリップ３０に接続されて電源を供給し、ストリップ３０の点灯・消灯を開閉するよう制御する。
【００１０】
実施例１では、図２に示すように、第一のテープ１０は、そのテープ本体の一方の側端部に第一の務歯列１１及び第一のスライダ１２が設けられ、第一の務歯列１１に第一のスライダ１２が往復動自在に結合され、さらに、第一の務歯列１１の両端に第一のスライダ１２の飛び出しを防止するための上止１１ａ及び箱１１ｂがそれぞれ設けられている。また、第二のテープ２０は、そのテープ本体の一方の側端部に第二の務歯列２１が設けられ、第二の務歯列２１の一端に飛び出し防止効果のある上止２１ａが設けられ、第二の務歯列２１の他端に第一の務歯列１１の箱１１ｂに対応して合わせられるよう蝶棒２１ｂが設けられ、第一のスライダ１２を往復に動かせることで第二の務歯列２１と第一の務歯列１１とを分離させたり噛み合わせたりして、着脱可能な効果を達する。
【００１１】
図３に示すように、第二のテープ２０にストリップ３０を搭載固定するための受容通路２２が少なくとも一つ設けられている。また、ストリップ３０は、透明パッケージ３１と、複数の発光ダイオード３２と、２本の導線３３とを含み、導線３３ごとは、複数の金属線を有し、且つ導電ブロック３３１（即ち、複数の金属線）と接続ブロック３３２（即ち、複数の金属線及びこれらの金属線を覆う絶縁表層）に分けられ、これらの発光ダイオード３２が間隔を開いて両導電ブロック３３１の間に電気的に接続されるとともに、透明パッケージ３１内に結合して封止され、ストリップ３０の防水発光部３０ａを形成することによって、部材の弛めを防止できるだけでなく、防水効果を有する。
また、防水発光部３０ａが受容通路２２内に搭載固定され、両接続ブロック３３２が結合してストリップ３０の接続部３０ｂを形成し、コントローラ４０に接続されている。コントローラ４０がストリップ３０に直接的に接続されたが、実際に使用されるときに、分離方式で接続されても良い。ストリップ３０の防水発光部３０ａは、ミシン縫着、熱溶融接着、接着剤などの方式で固着され、また、実際に使用されるときに、受容通路２２内に固定されず、第二のテープ２０中に直接的にミシン縫着されても良い。透明パッケージ３１は、可撓性構造であり、テープ本体に応じて弯曲可能となり、使用上の便宜を与える。
【００１２】
また、ストリップ３０の防水発光部３０ａを接続して固着するため、受容通路２２の一端には位置決め部材２３がさらに設けられ、位置決め部材２３が熱収縮チューブであり、位置決め部材２３が加熱された後に、ストリップ３０の防水発光部３０ａを第二のテープ２０の受容通路２２内に固着することができる。
【００１３】
本考案の受容通路２２が第二のテープ２０の他方の側端部に設けられても良いが、第二のテープ２０の対向する両側端部の間のテープ部分に設けられても良い（図７に示すように）。且つ、受容通路２２は、第二のテープ２０の両端に開口が形成され、一方の開口に位置決め部材２３が固着され、他方の開口にストリップ３０の防水発光部３０ａを導入して位置決め部材２３に固着させる。位置決め部材２３は、防水発光部３０ａを嵌合して固定するため、熱溶融による固定されたスリーブの他、ミシンで縫着されたスリーブであっても良い。
【００１４】
図４及び図５に示すように、コントローラ４０は、ベース４１と、回路基板モジュール４２と、バテッリパック４３と、カバー４４とを含み、ベース４１の一面にボタン４１１が設けられ（図１に示すように）、且つ、ベース４１の他面に受容溝４１２が凹設され、受容溝４１２の開口周縁に対向する２つのロック構造４１３がそれぞれ設けられ、カバー４４の両対向する周縁に対応用のロック構造４４１がそれぞれ設けられ、ロック構造４４１は、ロック構造４１３を受けて係止するために設けられている。回路基板モジュール４２が受容溝４１２内に設けられ、回路基板モジュール４２の一面がボタン４１１及びストリップ３０（即ち、接続部３０ｂ）にそれぞれ接続され、回路基板モジュール４２の対向面にバテッリパック４３が電気的に接続されている。
【００１５】
コントローラ４０によるストリップ３０の点灯・消灯を開閉する方式とは、まず、ボタン４１１を押圧して、これらの発光ダイオード３２が急速点滅（例えば、点滅頻度高め）を行う発光モードと、ボタン４１１を引き続き押せば、これらの発光ダイオード３２が遅速点滅（例えば、点滅頻度低め）を行う発光モードと、さらに三回目押せば、これらの発光ダイオード３２が非点滅となる発光状態と、その後四回目押せば、電源が切断されこれらの発光ダイオード３２が発光しないようになるとのことである。
【００１６】
さらに、図５に示すように、ロック構造４４１は中空案内溝であり、且つ、中空案内溝の内側に水平凸リブが設けられ、ロック構造４１３は中空案内溝内に挿入された係止鉤であり、且つ、カバー４４を安定的に締めたり弛めたりするため、係止鉤に近接するベース４１の側壁に水平凸リブを摺動させるためのＬ字案内溝が設けられている。
【００１７】
図４に示すように、ストリップ３０（即ち、接続部３０ｂ）には継手３４（例えば、雄継手）が設けられ、コントローラ４０には少なくとも一つの対応用継手４５（例えば、雌継手またはソケット）が設けられ、対応用継手４５が継手３４と互いに対応して接続されることにより、着脱や、切り替え及び更新を容易に行える。対応用継手４５がコントローラ４０のベース４１の側壁に直接的に設けられ、ベース４１内の回路基板モジュール４２に電気的に接続されているが、これに限られず、対応用継手４５は、ベースに繋がる延長導線を接続することで回路基板モジュール４２に間接に電気的に接続されても良い。
【００１８】
本考案は、一般の服装または付属品の開口部に結合され、図２に示すように、第一のテープ１０の他方の側端部に第一の接続エリア１３が設けられ、第一の接続エリア１３に第一のシート６０がさらに接続され、第一のシート６０の一方側に第一の対応接続エリア６１が設けられ、第一の対応接続エリア６１が第一の接続エリア１３と互いに接続して固定され、その固着手段として、ミシン縫着或いは熱溶融固着により行われている。第一のシート６０は、一般の服装及び付属品のエッジ（例えば、衣服のエッジ）或いは開口（例えば、襟口、袖口、袋口）の部位であり、服装とは、衣服、ズボン、スカート、頭巾、帽子、靴下、靴、手袋またはマフラーなどの体に直接に着用するための着るものであり、付属品とは、鞄（例えば、革鞄、腰鞄）、タオル（例えば、ナプキン、ハンカチ）、或いは、袋（例えば、背袋、手持ち袋）などの飾り及び携帯用の付属品である。
【００１９】
前記の開口部位が閉めても良いが、正面が開いて左右の前立てを形成する服装（例えば、ランドセルコート、ジャケット、ベスト）に適用される場合に、第一のシート６０が服装の左前立て布であり、第二のシート７０が服装の右前立て布である。本考案の技術手段は、図６に示すように、第一のシート６０の片面に少なくとも一つの第一の片面接続エリア６２が設けられ、第二のシート７０の対応面に少なくとも一つの第二の片面接続エリア７２が設けられ、第二の片面接続エリア７２が第一の片面接続エリア６２と互いに接続され、第二のテープ２０が固定されなく可動自在になり、このとうに、両シート６０、７０が互いに接続されたときに、ストリップを有する第二のテープ２０を容易かつ素早く取り外すことができ、或いは、洗濯のときに取り外して導線が捩られ発光効果が影響されるのを避けられる。第一の片面接続エリア６２と第二の片面接続エリア７２とが、雄マジックファスナー（登録商標）と雌マジックファスナー、ボタンとボタンホール、係止鉤と係止環、凸止めと凹止めなどの組み合わせで接続されている。
【実施例２】
【００２０】
図７及び図８に示すように、本考案の着脱可能なファスナーの実施例２が前記実施例１とは、第二のテープ２０の他方の側端部に第三のテープ５０がさらに接続され、第二のテープ２０は、そのテープ本体の他方の側端部に第二の対応用務歯列２４及び第二のスライダ２５が設けられ、第二のスライダ２５が第二の対応用務歯列２４に往復動自在に結合され、さらに、第二の対応用務歯列２４の両端に第二のスライダ２５の飛び出しを防止するための上止２４ａ及び箱２４ｂがそれぞれ設けられ、さらに、第三のテープ５０は、そのテープ本体の一方の側端部に第三の務歯列５１が設けられ、第三の務歯列５１の一端に飛び出し防止効果のある上止５１ａが設けられ、第三の務歯列５１の他端に第二の対応用務歯列２４の箱２４ｂに対応して合わせられるよう蝶棒５１ｂが設けられ、第二のスライダ２５を往復に動かせることで第二の対応用務歯列２４と第三の務歯列５１とを分離させたり噛み合わせたりして、着脱可能な効果を達する点で異なっている。
【００２１】
実施例２では、図７に示すように、第二のテープ２０の対向する両側端部に第一のテープ１０と第三のテープ５０とがそれぞれ接続され、第一のスライダ１２を引っ張って動かせば、第二のテープ２０と第一のテープ１０とを分離させたり噛み合わせたりすることができ、第二のスライダ２５を引っ張って動かせば、第二のテープ２０と第三のテープ５０とを分離させたり噛み合わせたりすることもできる。第一のスライダ１２と第二のスライダ２５とをともに下へ引っ張ると、第二のテープ２０を取り外すことができ、第二のテープ２０を取り外してから、第三の務歯列５１の蝶棒５１ｂを第一のスライダ１２に通して第一の務歯列１１の箱１１ｂ内に挿通して奥まで当接させて（図示せず）、さらに第一のスライダ１２を上へ引っ張って動かせば、第三の務歯列５１と第一の務歯列１１とが互いに噛み合わせられ、第三のテープ５０と第一のテープ１０とを互いに接続することができる。よって、使用上の利便性が向上され、本考案のストリップ３０を有する第二のテープ２０を一般のファスナーと組み合わせて使用可能となり、適用範囲が向上される。
【００２２】
図８に示すように、第二のテープ２０と第三のテープ５０との間に少なくとも一つの同じ構造である第二のテープ２０がされに結合され、発光照明と警報の領域及び面積が向上するとともに、各第二のテープ２０のストリップ３０が異なる発光状態を生じさせることにより、目立つになるだけでなく認識し易くなる。
【００２３】
さらに、実施例２では、図８に示すように、第三のテープ５０の他方の側端部に第三の接続エリア５２が設けられることで、第二のシート７０が接続可能となり、第二のシート７０の一方側に第二の対応用接続エリア７１が設けられ、第二の対応用接続エリア７１が第三の接続エリア５２と互いに接続して固着され、その固着手段として、ミシン縫着或いは熱溶融固着により行われている。このように、衣服の左右２つの前立て布が互いに重ねて結合されたときに、第二のテープ２０の対向する両側端部が第一のテープ１０と第三のテープ５０とで接続して位置決めされ、ストリップ３０が衣服の前立てのファスナーに位置され、光の劣る環境中に位置認識し易くなり、服を着る人の体型によってファスナーを引っ張られない場合に、第一のテープ１０と第三のテープ５０との間に１以上の第二のテープ２０を組み合わせて、適切な具合まで調整して、快適に着ることができ、また、そのうちのこれらのストリップ３０の接続部３０ｂ（または継手）が同一のコントローラ４０を接続して共用することができる。
【００２４】
本明細書に記載された第一のテープ１０、第二のテープ２０及び第三のテープ５０のテープ本体は、編組テープのほか、いずれも弾性のあるテープである。
【００２５】
よって、本考案によるストリップ付き着脱可能なファスナーは、第一のテープ１０と第二のテープ２０とストリップ３０とコントローラ４０との組立設計により、快速着脱、防水、発光警報及び発光点滅制御の効果を備え、使用上の利便性が向上され、ストリップ３０とコントローラ４０との間に継手３４及び対応用継手４５が設けられることで、コントローラ４０を速やかに着脱して切り替えや更新を容易に行える。
【００２６】
以上は単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に含まれることは言うまでもないことである。
【符号の説明】
【００２７】
１０：第一のテープ
１１：第一の務歯列
１１ａ：上止
１１ｂ：箱
１２：第一のスライダ
１３：第一の接続エリア
２０：第二のテープ
２１：第二の務歯列
２１ａ：上止
２１ｂ：蝶棒
２２：受容通路
２３：位置決め部材
２４：第二の務歯列
２４ａ：上止
２４ｂ：箱
２５：第二のスライダ
３０：ストリップ
３０ａ：防水発光部
３０ｂ：接続部
３１：透明パッケージ
３２：発光ダイオード
３３：導線
３３１：導電ブロック
３３２：接続ブロック
３４：継手
４０：コントローラ
４１：ベース
４１１：ボタン
４１２：受容溝
４１３：ロック構造
４２：回路基板モジュール
４３：バテッリパック
４４：カバー
４４１：ロック構造
４５：継手
５０：第三のテープ
５１：第三の務歯列
５１ａ：上止
５１ｂ：蝶棒
５２：第三の接続エリア
６０：第一のシート
６１：第一の対応接続エリア
６２：第一の片面接続エリア
７０：第二のシート
７１：第二の接続エリア
７２：第二の片面接続エリア
【図１】
0003175396.tif 000003
【図２】
0003175396.tif 000004
【図３】
0003175396.tif 000005
【図４】
0003175396.tif 000006
【図５】
0003175396.tif 000007
【図６】
0003175396.tif 000008
【図７】
0003175396.tif 000009
【図８】
0003175396.tif 000010